(57)【要約】【課題】  様々な使用環境においても容易に取り扱うことができ、かつ装置の端部近傍からも発光を得ることができる技術を提供する。【解決手段】  直線状に形成され内部に変圧器を備えるケース部２と、ケース部２上面において当該ケース部の延伸方向両側に外方を向くように設けられた本体電極部と、両端に電極を有する管状の冷陰極型蛍光管であり両端部近傍においてこの延伸方向に対向する方向に折り曲げられた形状を成し、前記電極と前記本体電極部とが接続されるランプ３と、ランプ３の発光を透過可能な素材からなり当該ランプ３の両端近傍の折り曲げ部分付近を覆うように形成されてケース部２上部に固着されるレンズ部７と、を有する。【選択図】図１
0003114196.tif 000002
【実用新案登録請求の範囲】
【請求項１】
直線状に形成され内部に変圧器を備えるケース部と、
前記ケース部上面において当該ケース部の延伸方向両側に外方を向くように設けられた本体電極部と、
両端に電極を有する管状の冷陰極型蛍光管であり、両端部近傍においてこの延伸方向に対向する方向に折り曲げられた形状を成し、前記電極と前記本体電極部とが接続されるランプと、
前記ランプの発光を透過可能な素材からなり当該ランプ部の両端近傍の折り曲げ部分付近を覆うように形成されて前記ケース部上部に固着されるレンズ部と、を備える蛍光管照明装置。
【請求項２】
直線状に形成され内部に変圧器を備えるケース部と、
前記ケース部上面において当該ケース部の延伸方向両側に外方を向くように設けられた本体電極部と、
両端に電極を有する管状の冷陰極型蛍光管であり、両端部近傍においてこの延伸方向に対向する方向に折り曲げられた形状を成し、前記電極と前記本体電極部とが接続されるランプと、
前記ランプの発光を透過可能な素材からなり当該ランプ部の両端近傍の折り曲げ部分付近を覆うように形成されて前記ケース部上部に固着されるレンズ部と、
前記ランプの下方にこのランプを保持しその内部に前記本体電極部を格納するランプ保持部を備える蛍光管照明装置。
【請求項３】
直線状に形成され内部に変圧器を備えるケース部と、
前記ケース部上面において当該ケース部の延伸方向両側に外方を向くように設けられた本体電極部と、
両端に電極を有する管状の冷陰極型蛍光管であり、両端部近傍においてこの延伸方向に対向する方向に折り曲げられた形状を成し、前記電極と前記本体電極部とが接続されるランプと、
前記ランプの発光を透過可能な素材からなり当該ランプ部の両端近傍の折り曲げ部分付近を覆うように形成されて前記ケース部上部に固着されるレンズ部と、
前記ランプの下方にこのランプを保持しその内部に前記本体電極部を格納するランプ保持部と、
前記ランプ保持部の前記ランプと対向する面の一部には当該ランプと接触する脚部と、を備える蛍光管照明装置。
【請求項４】
前記脚部が、
前記ランプの表面の一部に接着されている、請求項３に記載の蛍光管照明装置。
【請求項５】
前記ランプ保持部が、
前記ランプ近傍の形状において反射面形状を構成している、請求項２から４のいずれかに記載の蛍光管照明装置。
【請求項６】
前記ランプ保持部が、
前記ランプの折り曲げられた部分とは異なる部分を保持している、請求項２から５のいずれかに記載の蛍光管照明装置。
【請求項７】
前記レンズ部が、
透明な材料を用いて形成されている、請求項１から６のいずれかに記載の蛍光管照明装置。
【請求項８】
前記レンズ部が、
乳白色の光透過性のある材料を用いて形成されている、請求項１から７のいずれかに記載の蛍光管照明装置。
【請求項９】
前記レンズ部が、
前記ケース部と密着して固着されており、前記レンズ部内部が密閉構造を構成している、請求項１から８のいずれかに記載の蛍光管照明装置。
【考案の詳細な説明】
【技術分野】
【０００１】
本考案は、冷陰極型蛍光管を用いた照明技術に関する。
【背景技術】
【０００２】
従来から、冷陰極型蛍光管（Cold Cathode Fluorescent Lamp: CCFL）などのガス放電管を一般の照明装置として用いることが鑑みられている。このような技術のうち、いわゆるネオン管などの直線状に形成された冷陰極低圧ガス放電管に関して、この放電管を変圧器（インバータ）に予め接続した上でその周囲を容器（ケース）で覆い一つのユニットを構成して、特殊な施工技術を必要とすることなく簡便に使用できるように鑑みた技術が知られている（例えば、特許文献1参照。）。
【特許文献１】特開平１０−１２０２９号公報
【考案の開示】
【考案が解決しようとする課題】
【０００３】
しかしながら、上述の特許文献に係る技術を含め、従来の技術では例えば以下のような問題があった。
【０００４】
すなわち、従来の技術では、上述のようなネオン管ユニットを構成することで、簡便に使用することは可能になったものの、これを屋外の照明などとして用いる場合に、特に防水性の観点から十分な検討が為されているとは言い難かった。
【０００５】
また、直線状に形成された放電管を用いた照明装置を一般照明に利用する場合に、その形状による特徴を生かして、個々の照明装置を連続して配置することによって、一つの直線状の大きな発光を得ることが主にデザイン的な観点から要求されている。しかしながら、従来の技術では、ユニットの両端には電極、放電管の止め具、あるいはケースなどがあるため、ユニットの両端部近傍から発光するようにすることは困難であった。従って、このような複数の照明装置を連続して配置したとしても、一つの大きな発光を得ることは困難であった。
【０００６】
本考案は、以上の問題に鑑みてなされたものである。すなわち、本考案の課題は、様々な使用環境においても容易に取り扱うことができ、かつ装置の端部近傍からも発光を得ることができる技術を提供することにある。
【課題を解決するための手段】
【０００７】
上記課題を解決するために、本考案は以下の手段とした。
すなわち、本考案は、直線状に形成され内部に変圧器を備えるケース部と、ケース部上面において当該ケース部の延伸方向両側に外方を向くように設けられた本体電極部と、両端に電極を有する管状の冷陰極型蛍光管であり、両端部近傍においてこの延伸方向に対向する方向に折り曲げられた形状を成し、電極と本体電極部とが接続されるランプ部と、ランプ部の発光を透過可能な素材からなり当該ランプ部の両端近傍の折り曲げ部分付近を覆うように形成されてケース部上部に固着されるレンズ部と、を有する。
【０００８】
本考案は、冷陰極蛍光管からなるランプ部の全体を囲繞するような形でケース部とレンズ部とが固着する。また、このレンズ部は、両端部近傍においてこの延伸方向に対向する方向に折り曲げられた形状を成すランプ部を、ランプ部の発光を透過可能な素材（例えば透明または乳白色の樹脂）で上記両端部を含めて覆う。すなわち、本考案のレンズ部は、このレンズ部の両端を含めた全体からランプ部からの発光を照射する。
【０００９】
従って、本考案によれば、様々な使用環境においても容易に取り扱うことができ、かつ装置の端部近傍からも発光を得ることができる。
【００１０】
また、本発明は、直線状に形成され内部に変圧器を備えるケース部と、ケース部上面において当該ケース部の延伸方向両側に外方を向くように設けられた本体電極部と、両端に電極を有する管状の冷陰極型蛍光管であり、両端部近傍においてこの延伸方向に対向する方向に折り曲げられた形状を成し、電極と本体電極部とが接続されるランプと、ランプの発光を透過可能な素材からなり当該ランプ部の両端近傍の折り曲げ部分付近を覆うように形成されてケース部上部に固着されるレンズ部と、ランプの下方にこのランプを保持しその内部に本体電極部を格納するランプ保持部を備えるものとしても特定することができる。
【００１１】
また、本発明は、直線状に形成され内部に変圧器を備えるケース部と、ケース部上面において当該ケース部の延伸方向両側に外方を向くように設けられた本体電極部と、両端に電極を有する管状の冷陰極型蛍光管であり、両端部近傍においてこの延伸方向に対向する方向に折り曲げられた形状を成し、電極と本体電極部とが接続されるランプと、ランプの発光を透過可能な素材からなり当該ランプ部の両端近傍の折り曲げ部分付近を覆うように形成されてケース部上部に固着されるレンズ部と、ランプの下方にこのランプを保持しその内部に本体電極部を格納するランプ保持部と、ランプ保持部のランプと対向する面の一部には当該ランプと接触する脚部と、を備えるものとしても特定することができる。
【考案の効果】
【００１２】
本考案によれば、様々な使用環境においても容易に取り扱うことができ、かつ装置の端部近傍からも発光を得る技術を提供することができる。
【考案を実施するための最良の形態】
【００１３】
以下、図面を参照して本考案を実施するための一の形態である、蛍光管照明装置（以下、照明装置１）について説明する。以下の実施の形態の構成は例示であり、本考案の蛍光管照明装置は実施の形態の構成に限定されない。
【００１４】
図１から図３は、本実施の形態に係る照明装置１を示した図であり、図１が蛍光管の長手方向かつ蛍光管の照射方向の側方を正面とした正面図、図２が蛍光管の長手方向かつ蛍光管の照射方向を上面とした上面図、図３が蛍光管の短手方向からみた側面図である。
【００１５】
照明装置１は、直線状に延伸されてその内部に変圧器を備えるケース部２の上面に、このケース部の両延伸方向で外方（長手方向）に向くように設けられている本体電極部（不図示）を備える。この本体電極部には、冷陰極型蛍光管（Cold Cathode Fluorescent Lamp: CCFL）などのガス放電管蛍光管であるランプ３のランプ電極部（不図示）が、接続している。
【００１６】
このランプ３は、ケース部２の端部より内方の所定位置にランプの延伸方向（長手方向）外方に向いて設けられている本体電極部と、ランプ電極部とが接続する。
【００１７】
ランプ３は、上述のようにランプ電極部とランプの延伸方向外方に向いている本体電極部とが接続することができるように形成されている。すなわち、ランプ３は、図1に示すようにその両端部近傍において延伸方向とは反対方向に折り返されるように（ほぼU字形状）形成されている。
【００１８】
ケース部２の上面には、照明装置１と接続したランプ３を脚部４ａで保持する、ランプ保持部４が設けられている。このランプ保持部４には、上述の本体電極部あるいは配線（いずれも不図示）などが内部に格納されており、照明装置１の外観を簡潔なものとするのに寄与している。
【００１９】
また、ランプ保持部４の脚部４ａは、複数の脚部４ａのうち少なくとも一部がランプ３の表面の一部と接触している。そして、複数の脚部４ａの一部（本実施の形態では中心部近傍の脚部４ａ）は、ランプ３の表面の一部に接着されている。このようにすることで、照明装置１は、振動等が発生するような厳しい設置環境においても安全に利用することができる。
【００２０】
また、このランプ保持部４は、図２に示すように、その縦断面形状がランプ３の縦断面形状（円形状）を覆うような形状（ランプ３付近がくぼみ外方に向かって高さが増している）を有している。すなわち、ランプ保持部４の形状は、ランプ３の発光に対してリフレクタの役割を果たすようにされている。
【００２１】
また、ランプ保持部４は、ランプ３の折り返し部分（U字形状部分）近傍には設けられていない。これは、折り返し部分が、それ以外の部分（ランプ保持部４によるリフレクタのある部分）と異なり実質的に２本の発光部分があることになるため、光量に差異が生じることが考えられる。そのため、折り返し部分についてはリフレクタを設けずに、他の部分との発光時の光束をほぼ均一となるようにしている。
【００２２】
また、ケース部２の下部には、その内部に変圧器（不図示）などの照明装置１に必要な機器類が格納されている。そして、ケース部２の下部には、照明装置１を電源（不図示）に接続するための配線５とその先端のコネクタ６とが設けられている。なお、このコネクタ６は、直接電源と接続するだけではなく、複数の照明装置１と接続することができ、複数の照明装置１を直列に連結して配置することができる。
【００２３】
ケース部２の上部には、ランプ３全体を覆うような形状を有して透明な樹脂で形成された照明カバー７が設けられている。この照明カバー７は、ケース部２との接続部分において、ケース２と密着して取り付けられている。つまり、この照明カバー７内部は、外部に対して密封された構造を得ることができる。なお、この照明カバー７とケース部２との密着手法は、例えば加熱して双方の樹脂を溶解させる方法、あるいは接着剤を用いるなどの様々な方法が考えられる。
【００２４】
図４は、本実施の照明装置に係る他の実施例の外観を示す図である。この照明装置１０と上述の照明装置１との相違点は、照明装置１の透明な樹脂で形成された照明カバー７に替えて、乳白色の光透過性のある樹脂製の照明カバー１７を用いたことにある。このような照明カバー１７を用いた照明装置１０は、照明カバー１７のほぼ全体が発光部分となってムラの生じない一様な発光を得ることができる。
【図面の簡単な説明】
【００２５】
【図１】本発明の実施の形態に係る照明装置の蛍光管の長手方向かつ蛍光管の照射方向の側方を正面とした正面図である。
【図２】照明装置の蛍光管の長手方向かつ蛍光管の照射方向を上面とした上面図である。
【図３】照明装置の蛍光管の短手方向からみた側面図である。
【図４】本実施の照明装置に係る他の実施例の外観を示す図である。
【符号の説明】
【００２６】
１    照明装置
２    ケース部
３    ランプ
４    ランプ保持部
４ａ    脚部
５    配線
６    コネクタ
７    照明カバー
１０    照明装置
１７    照明カバー
【図１】
0003114196.tif 000003
【図２】
0003114196.tif 000004
【図３】
0003114196.tif 000005
【図４】
0003114196.tif 000006